(57)【要約】【課題】漢字／平仮名／カタカナ／数字／アルファベットの境目で区切る簡便なアルゴリズムでキーワードを抽出するため、単語として認められない文字列を抽出したり、単語として認められてもキーワードとは到底言えない文字列を抽出することがあり、視聴者が十分満足できる検索機能ではなかった。【解決手段】あらかじめ固有名詞を格納した辞書を搭載しておき、視聴者選択番組の番組情報とのマッチングをとり、一致する単語をキーワードとして視聴者に提示する。また、流行や時節に合わせたキーワードも提示できるように、キーワード情報を送出するＥＰＧシステムのキーワード情報と視聴者選択番組の番組情報とを比較して一致したキーワードをあわせて視聴者に提示する。この提示したキーワードを選択することにより、選択したキーワードの文字列を番組情報に含む番組を探して視聴者に提示する。【選択図】  図１１
2004312627.tif 000002
【特許請求の範囲】
【請求項１】
キーワード情報非付加の第１の番組情報を受信して一時記憶するステップと、
視聴者選択番組の番組情報の文字列を固有名詞辞書に含まれる固有名詞の文字列と照合し、一部または全部が一致する文字列を提示するステップと、
前記提示文字列中の視聴者選択文字列に基づいて前記一時記憶した第１の番組情報の文字列を検索し、該当する番組の一覧を表示するステップとを含むことを特徴とするテレビジョン受像装置における番組情報検索方法。
【請求項２】
キーワード情報非付加の第１の番組情報およびキーワード情報付加の第２の番組情報を受信して一時記憶するステップと、
前記視聴者選択番組の番組情報の文字列を前記一時記憶した第２の番組情報のキーワード情報の文字列と照合し、一部または全部が一致する文字列を提示するステップと、
前記提示文字列中の視聴者選択文字列に基づいて前記一時記憶した第１の番組情報の文字列を検索し、該当する番組の一覧を表示するステップとを含むことを特徴とするテレビジョン受像装置における番組情報検索方法。
【請求項３】
キーワード情報非付加の第１の番組情報およびキーワード情報付加の第２の番組情報を受信して一時記憶するステップと、
視聴者選択番組の番組情報の文字列を固有名詞辞書に含まれる固有名詞の文字列と照合し、一部または全部が一致する文字列を提示するステップと、
前記視聴者選択番組の番組情報の文字列を前記一時記憶した第２の番組情報のキーワード情報の文字列と照合し、一部または全部が一致する文字列を提示するステップと、
前記双方の提示文字列中の視聴者選択文字列に基づいて前記一時記憶した第１の番組情報の文字列を検索し、該当する番組の一覧を表示するステップとを含むことを特徴とするテレビジョン受像装置における番組情報検索方法。
【請求項４】
キーワード情報非付加の第１の番組情報を受信して一時記憶するステップと、
前記第１の番組情報に固有名詞辞書へのアクセス位置を識別するためのキーワードＩＤを埋め込むステップと、
前記視聴者選択番組の番組情報のキーワードＩＤに基づいて前記固有名詞辞書にアクセスし、前記固有名詞辞書に含まれる固有名詞の文字列から一部または全部が一致する文字列を提示するステップと、
前記提示文字列中の視聴者選択文字列に対応する前記キーワードＩＤに基づいて前記一時記憶した第１の番組情報を検索し、該当する番組の一覧を表示するステップとを含むことを特徴とするテレビジョン受像装置における番組情報検索方法。
【請求項５】
キーワード情報非付加の第１の番組情報およびキーワード情報付加の第２の番組情報を受信して一時記憶するステップと、
前記第１の番組情報に前記第２の番組情報へのアクセス位置を識別するためのキーワードＩＤを埋め込むステップと、
前記視聴者選択番組の番組情報のキーワードＩＤに基づいて前記一時記憶した第２の番組情報にアクセスし、前記第２の番組情報に含まれるキーワード情報の文字列から一部または全部が一致する文字列を提示するステップと、
前記提示文字列中の視聴者選択文字列に対応する前記キーワードＩＤに基づいて前記一時記憶した第１の番組情報を検索し、該当する番組の一覧を表示するステップとを含むことを特徴とするテレビジョン受像装置における番組情報検索方法。
【請求項６】
キーワード情報非付加の第１の番組情報およびキーワード情報付加の第２の番組情報を受信して一時記憶するステップと、
前記第１の番組情報に固有名詞辞書へのアクセス位置および前記第２の番組情報へのアクセス位置を識別するためのキーワードＩＤを埋め込むステップと、
前記視聴者選択番組の番組情報のキーワードＩＤに基づいて前記固有名詞辞書または前記一時記憶した第２の番組情報にアクセスし、前記固有名詞辞書または前記第２の番組情報に含まれるキーワード情報の文字列から一部または全部が一致する文字列を提示するステップと、
前記提示文字列中の視聴者選択文字列に対応する前記キーワードＩＤに基づいて前記一時記憶した第１の番組情報を検索し、該当する番組の一覧を表示するステップとを含むことを特徴とするテレビジョン受像装置における番組情報検索方法。
【請求項７】
請求項３または請求項６に記載の番組情報検索方法において、さらに、前記第２の番組情報との照合で提示する文字列の集合のうち、前記固有名詞辞書に含まれる固有名詞との照合で提示する文字列の集合に含まれない文字列を前記固有名詞辞書に追加するステップを含むことを特徴とするテレビジョン受像装置における番組情報検索方法。
【請求項８】
地上デジタルチューナーで受信した信号から地上デジタル番組情報を取得する地上デジタル番組情報データ取得部と、
取得した地上デジタル番組情報を蓄積する地上デジタル番組情報データ蓄積用記憶装置と、
操作イベントを判断して指示を出すイベント管理部と、
前記イベント管理部からの指示により所要の制御を行うとともに、番組検索状態のオンスクリーン表示の制御を行うテレビ制御部と、
番組検索を行う際のキーワード抽出に使用する固有名詞辞書用記憶装置とを備え、
前記テレビ制御部は、前記イベント管理部からの視聴者選択番組の番組情報の文字列を前記固有名詞辞書用記憶装置の固有名詞辞書に含まれる固有名詞の文字列と照合し、一部または全部が一致する文字列をオンスクリーン表示させ、前記イベント管理部からの視聴者選択文字列に基づいて前記地上デジタル番組情報データ蓄積用記憶装置の番組情報の文字列を検索し、該当する番組の一覧をオンスクリーン表示するように構成されているテレビジョン受像機。
【請求項９】
地上デジタルチューナーで受信した信号から番組情報を取得する地上デジタル番組情報データ取得部と、
取得した地上デジタル番組情報を蓄積する地上デジタル番組情報データ蓄積用記憶装置と、
操作イベントを判断して指示を出すイベント管理部と、
前記イベント管理部からの指示により所要の制御を行うとともに、番組検索状態のオンスクリーン表示の制御を行うテレビ制御部と、
ＢＳデジタルチューナーで受信したメガポートＥＰＧ番組情報を取得するメガポートＥＰＧ番組情報データ取得部と、
取得したメガポートＥＰＧ番組情報を蓄積するメガポートＥＰＧ番組情報データ蓄積用記憶装置とを備え、
前記テレビ制御部は、前記イベント管理部からの視聴者選択番組の番組情報の文字列を前記メガポートＥＰＧ番組情報データ蓄積用記憶装置のメガポートＥＰＧ番組情報に含まれる文字列と照合し、一部または全部が一致する文字列をオンスクリーン表示させ、前記イベント管理部からの視聴者選択文字列に基づいて前記地上デジタル番組情報データ蓄積用記憶装置の番組情報の文字列を検索し、該当する番組の一覧をオンスクリーン表示するように構成されているテレビジョン受像機。
【請求項１０】
地上デジタルチューナーで受信した信号から地上デジタル番組情報を取得する地上デジタル番組情報データ取得部と、
取得した地上デジタル番組情報を蓄積する地上デジタル番組情報データ蓄積用記憶装置と、
操作イベントを判断して指示を出すイベント管理部と、
前記イベント管理部からの指示により所要の制御を行うとともに、番組検索状態のオンスクリーン表示の制御を行うテレビ制御部と、
番組検索を行う際のキーワード抽出に使用する固有名詞辞書用記憶装置と、
ＢＳデジタルチューナーで受信したメガポートＥＰＧ番組情報を取得するメガポートＥＰＧ番組情報データ取得部と、
取得したメガポートＥＰＧ番組情報を蓄積するメガポートＥＰＧ番組情報データ蓄積用記憶装置とを備え、
前記テレビ制御部は、前記イベント管理部からの視聴者選択番組の番組情報の文字列を前記固有名詞辞書用記憶装置の固有名詞辞書に含まれる固有名詞の文字列および前記メガポートＥＰＧ番組情報データ蓄積用記憶装置のメガポートＥＰＧ番組情報に含まれる文字列と照合し、一部または全部が一致する文字列をオンスクリーン表示させ、前記イベント管理部からの視聴者選択文字列に基づいて前記地上デジタル番組情報データ蓄積用記憶装置の番組情報の文字列を検索し、該当する番組の一覧をオンスクリーン表示するように構成されているテレビジョン受像機。
【請求項１１】
請求項８に記載のテレビジョン受像機において、
前記テレビ制御部は、
前記固有名詞辞書用記憶装置における前記固有名詞辞書に含まれる固有名詞の文字列に基づいて、前記地上デジタル番組情報データ蓄積用記憶装置における前記地上デジタル番組情報に前記固有名詞辞書へのアクセス位置を識別するためのキーワードＩＤを埋め込む手段と、
前記視聴者選択番組の番組情報のキーワードＩＤに基づいて前記固有名詞辞書用記憶装置における固有名詞辞書にアクセスし、前記固有名詞辞書に含まれる固有名詞の文字列から一部または全部が一致する文字列をオンスクリーン表示する手段と、
前記提示文字列中の視聴者選択文字列に対応する前記キーワードＩＤに基づいて前記地上デジタル番組情報データ蓄積用記憶装置に記憶した地上デジタル番組情報を検索し、該当する番組の一覧を表示する手段とを備えているテレビジョン受像装置。
【請求項１２】
請求項９に記載のテレビジョン受像機において、
前記テレビ制御部は、
前記メガポートＥＰＧ番組情報データ蓄積用記憶装置における前記メガポートＥＰＧ番組情報のキーワード情報に基づいて、前記地上デジタル番組情報データ蓄積用記憶装置における前記地上デジタル番組情報に、前記メガポートＥＰＧ番組情報へのアクセス位置を識別するためのキーワードＩＤを埋め込む手段と、
前記視聴者選択番組の番組情報のキーワードＩＤに基づいて前記メガポートＥＰＧ番組情報にアクセスし、前記メガポートＥＰＧ番組情報に含まれるキーワード情報の文字列から一部または全部が一致する文字列をオンスクリーン表示する手段と、
前記提示文字列中の視聴者選択文字列に対応する前記キーワードＩＤに基づいて前記地上デジタル番組情報データ蓄積用記憶装置に記憶した地上デジタル番組情報を検索し、該当する番組の一覧を表示する手段とを備えているテレビジョン受像装置。
【請求項１３】
請求項１０に記載のテレビジョン受像機において、
前記テレビ制御部は、
前記固有名詞辞書用記憶装置における前記固有名詞辞書に含まれる固有名詞の文字列および前記メガポートＥＰＧ番組情報データ蓄積用記憶装置における前記メガポートＥＰＧ番組情報のキーワード情報に基づいて、前記地上デジタル番組情報データ蓄積用記憶装置における前記地上デジタル番組情報に、前記固有名詞辞書へのアクセス位置および前記メガポートＥＰＧ番組情報へのアクセス位置を識別するためのキーワードＩＤを埋め込む手段と、
前記視聴者選択番組の番組情報のキーワードＩＤに基づいて前記固有名詞辞書または前記メガポートＥＰＧ番組情報にアクセスし、前記固有名詞辞書に含まれる固有名詞の文字列または前記メガポートＥＰＧ番組情報に含まれるキーワード情報の文字列から一部または全部が一致する文字列をオンスクリーン表示する手段と、
前記提示文字列中の視聴者選択文字列に対応する前記キーワードＩＤに基づいて前記地上デジタル番組情報データ蓄積用記憶装置に記憶した地上デジタル番組情報を検索し、該当する番組の一覧を表示する手段とを備えているテレビジョン受像装置。
【請求項１４】
請求項１０または請求項１３に記載のテレビジョン受像機において、前記テレビ制御部は、さらに、前記メガポートＥＰＧ番組情報との照合で提示する文字列の集合のうち、前記固有名詞辞書に含まれる固有名詞との照合で提示する文字列の集合に含まれない文字列を前記固有名詞辞書用記憶装置における前記固有名詞辞書に追加する手段を備えているテレビジョン受像装置。
【発明の詳細な説明】
【０００１】
【発明の属する技術分野】
本発明は、ＥＰＧ（Ｅｌｅｃｔｒｏｎｉｃ  Ｐｒｏｇｒａｍ  Ｇｕｉｄｅ：電子番組ガイド）機能を搭載したテレビジョン受像装置およびその番組情報検索方法に関するものである。
【０００２】
【従来の技術】
キーワード情報を送出しないＥＰＧシステムのＥＰＧ機能を有するテレビジョン受像装置においては、視聴者が見たい番組を検索する機能として、視聴者が選択した番組の番組情報からキーワードを抽出して関連する番組を検索する機能があった。この機能は、特許文献１で説明されている方法を基本にして実現できる。実際には、検索の幅を広げるために、キーワードの抽出方法において、視聴者が選択した番組（視聴者選択番組）の番組タイトルや番組の詳細情報から漢字／平仮名／カタカナ／数字／アルファベットの境目で区切ることを基本とする簡便なアルゴリズムを用いる。このアルゴリズムによりキーワードを抽出して視聴者に提示し、視聴者がキーワードを選択する。このようなキーワードによる検索を行うテレビジョン受像機が商品化されている。この機能は、固定のキーワードから番組を検索するのではなく、最近の番組情報の中から視聴者選択番組の番組情報を基に抽出したキーワードを使って検索するため、タイムリーでかつフレキシブルな検索をすることができる。
【０００３】
以下、図１８〜図２２を用いて従来の地上デジタル放送対応テレビにおける番組情報検索方法について説明する。
【０００４】
図１８のように、地上デジタル放送対応テレビは、地上デジタル放送の映像／音声信号を受信する地上デジタルチューナー２０と、地上デジタル番組情報データを取得する地上デジタル番組情報データ取得部２１と、取得した番組情報データを蓄積する地上デジタル番組情報データ蓄積用記憶装置２２と、地上デジタルチューナー２０と外部装置からの映像／音声を切り換える映像／音声入力切換部１８と、音声を出力するスピーカー１９と、映像信号を処理する映像信号処理部１６と、テレビジョン受像装置の制御を行うテレビ制御部１３と、リモコンからの送信コードを解読するためのリモコンコード解読部１１と、リモコンコード解読部１１から入力されたイベントを判断してテレビ制御部１３に指示を出すイベント管理部１２と、テレビ制御部１３からの指示でオンスクリーン表示を行うオンスクリーン表示処理部１４と、時刻管理を行う時刻管理部１５と、映像やオンスクリーンを表示する表示装置１７と、オンスクリーン表示処理部１４から出力する信号と映像の合成を行う映像合成処理部２３とから構成されている。
【０００５】
また、地上デジタルの番組情報は、地上デジタルの番組配列情報であるＳＩ（ＳｅｒｖｉｃｅＩｎｆｏｒｍａｔｉｏｎ）情報から取得することができ、ＥＰＧを表示したり、検索をするために、地上デジタル番組情報データ蓄積用記憶装置２２には、各番組ごとに図１９のような情報を蓄積しておく。内容は、データが更新されるたびに蓄積し直す。
【０００６】
図１８のテレビ制御部１３は、番組を検索する際には、視聴者選択番組に対するデータを図１９の形式の情報から読み出し、図２０に示すキーワード抽出方法によってキーワードを抽出して視聴者に提示する。その提示したキーワードを視聴者が選択して、図１９の形式で記憶されている全番組の番組情報の番組タイトルおよび番組内容のうちから選択したキーワードを含む番組を検索する。その検索によって該当したものを視聴者に提示することで番組検索を実現する。テレビ制御部１３で行われる番組検索の詳細な流れは図２１のフローチャートのようになる。
【０００７】
まずＳＴＥＰ１において、リモコンコード解読部１１でリモコンコードを受信して解読した結果のイベントについて、イベント管理部１２はそのイベントが番組内容提示のイベントかどうかを判断すると同時に番組内容を提示する番組を特定する。番組内容提示のイベントでない場合は処理を終了する。
【０００８】
番組内容提示のイベントの場合は、ＳＴＥＰ２に進み、イベント管理部１２が特定した番組の番組情報を地上デジタル番組情報データ蓄積用記憶装置２２から読み出す。
【０００９】
次いでＳＴＥＰ３において、地上デジタル番組情報データ蓄積用記憶装置２２から読み出したデータをオンスクリーン表示処理部１４に通知して画面に表示する。
【００１０】
次いでＳＴＥＰ４において、リモコンコード解読部１１を通してイベント管理部１２がキーワード検索のイベントを受けたかを判断する。キーワード検索のイベントでない場合は処理を終了する。
【００１１】
キーワード検索のイベントの場合は、ＳＴＥＰ５に進み、地上デジタル番組情報データ蓄積用記憶装置２２から読み出した番組タイトルおよび番組内容から図２０に示すキーワード抽出方法によりキーワードを抽出する。
【００１２】
次いでＳＴＥＰ６において、抽出したキーワードを一覧にしてオンスクリーン表示処理部１４に通知し、画面に表示する。
【００１３】
次いでＳＴＥＰ７において、リモコンコード解読部１１を通してイベント管理部１２がキーワード選択のイベントを受けたかを判断する。キーワード選択のイベントでない場合は処理を終了する。
【００１４】
キーワード選択のイベントの場合は、ＳＴＥＰ８に進み、地上デジタル番組情報データ蓄積用記憶装置２２に記憶されている番組情報の番組タイトルおよび番組内容と、選択したキーワードとを比較して、選択したキーワードの文字列を含む番組を検索する。
【００１５】
次いでＳＴＥＰ９において、検索で抽出した番組の一覧をオンスクリーン表示処理部１４に通知して画面に表示する。
【００１６】
図２２は検索を実行した場合の画面表示の遷移例である。
【００１７】
このようにして従来方法により番組の検索を行うことができる。
【００１８】
【特許文献１】
特開２０００−２９５５３８号公報（第９−１１頁、第１−７図）
【００１９】
【発明が解決しようとする課題】
しかしながら、上記の従来のテレビジョン受像装置のキーワードの抽出は、漢字／平仮名／カタカナ／数字／アルファベットの境目で区切って文字列を抽出してキーワードとする簡便なアルゴリズムを使用するため、単語として認められない文字列を抽出することや、単語として認められてもキーワードとは到底言えない文字列を抽出することがあり、視聴者に不快感を与えるばかりでなく、機能自体の信憑性をも低く感じさせていた。
【００２０】
一方で、最近、ＢＳデジタルの１チャンネルを利用して地上アナログ放送、ＢＳデジタル放送、１１０度ＣＳデジタル放送の番組表データを送出する計画（メガポートＥＰＧ）がある。メガポートＥＰＧの番組表データは番組開始時刻や番組タイトル等だけでなく、キーワード情報も含み、番組表の表示だけでなく、このキーワード情報を使ってキーワードによる検索を行うことも可能である。すなわち、メガポートＥＰＧを用いると上述の課題は解決される。
【００２１】
しかしながら、地上デジタル放送の番組表データについては、その送出は計画されていない。このため、メガポートＥＰＧのみでは地上デジタル放送の番組表を表示することはできない。したがって、地上デジタルの各ＴＳ（トランスポートストリーム）の番組表データを取り込み表示することになる。しかし、地上デジタルのＴＳにはメガポートＥＰＧのようなキーワード情報がないため、キーワードによる検索をすることができない。このため、地上デジタルでキーワードによる検索を行う際には、従来のキーワードを抽出して検索する方法しかなく、従来の問題を抱えたままとなる。
【００２２】
本発明は上記の点に鑑みてなされたものであり、従来方法の使い勝手を保ちつつ、従来方法の弱点を改善するとともに、キーワード情報のない地上デジタル放送対応のテレビにおいても簡便で使いやすい番組検索機能を提供することを目的とする。
【００２３】
【課題を解決するための手段】
本発明は、簡便なアルゴリズムでキーワードを抽出するのではなく、あらかじめ固有名詞を格納した辞書や、キーワード情報を送出しているＥＰＧシステムのキーワード情報を利用する。
【００２４】
上記の課題を解決するために、本発明は次のような手段を講じる。
【００２５】
第１の解決手段として、本発明によるテレビジョン受像装置における番組情報検索方法は、キーワード情報非付加の第１の番組情報を受信して一時記憶するステップと、視聴者選択番組の番組情報の文字列を固有名詞辞書に含まれる固有名詞の文字列と照合し、一部または全部が一致する文字列を提示するステップと、前記提示文字列中の視聴者選択文字列に基づいて前記一時記憶した第１の番組情報の文字列を検索し、該当する番組の一覧を表示するステップとを含むことを特徴とする。ここで、視聴者選択番組の番組情報は、番組タイトルと番組詳細情報とのいずれか一方または両者を指す（以下同様）。
【００２６】
すなわち、検索のキーワードの集合体として固有名詞辞書をあらかじめ用意しておき、視聴者選択番組の番組情報に含まれる文字列を固有名詞辞書に含まれる固有名詞の文字列と照合する。つまり、固有名詞の文字列をキーワードとして視聴者選択番組の番組情報に含まれる文字列を検索する。これにより、検索用キーワードを固有名詞をベースとする文字列に絞り込むことができる。固有名詞をベースとする文字列に絞り込まれた検索用キーワードは、受信し一時記憶したキーワード情報非付加の第１の番組情報を検索するためのキーワードとして、より適正で、検索上より確度の高いものとなる。すなわち、単語として認められない文字列や単語として認められてもキーワードとは到底言えない文字列については、これを抽出の対象から除外することができる。したがって、視聴者に不快感を与えることがなく、従来の使い勝手を保ちつつ、信憑性の高い番組検索を実現できる。
【００２７】
第２の解決手段として、本発明によるテレビジョン受像装置における番組情報検索方法は、キーワード情報非付加の第１の番組情報およびキーワード情報付加の第２の番組情報を受信して一時記憶するステップと、前記視聴者選択番組の番組情報の文字列を前記一時記憶した第２の番組情報のキーワード情報の文字列と照合し、一部または全部が一致する文字列を提示するステップと、前記提示文字列中の視聴者選択文字列に基づいて前記一時記憶した第１の番組情報の文字列を検索し、該当する番組の一覧を表示するステップとを含むことを特徴とする。
【００２８】
これは、上記第１の解決手段の場合に、固有名詞辞書を用意し、固有名詞辞書に含まれる固有名詞の文字列をキーワードとして照合を行うのに対して、固有名詞辞書に代えて、メガポートＥＰＧのようなキーワード情報が付加された番組情報を用いて、そのキーワード情報付加の第２の番組情報に含まれるキーワード情報の文字列をキーワードとして照合を行うものである。
【００２９】
第１の解決手段の場合は、キーワードの照合を固有名詞辞書によって行うものであり、固有名詞辞書に含まれる固有名詞の文字列は不変固定的なものであるため、タイムリーかつフレキシブルな番組検索を行えない。これに対して、第２の解決手段によれば、随時受信するメガポートＥＰＧのようなキーワード情報が付加された番組情報に含まれるキーワード情報を利用して、一時記憶されたキーワード情報非付加の第１の番組情報を検索するものであり、キーワードの候補が随時更新されるため、タイムリーでかつフレキシブルなキーワードによる番組検索を実現できる。
【００３０】
本発明の第３の解決手段は、上記第１の解決手段と第２の解決手段を合成したものに相当するものである。すなわち、第３の解決手段として、本発明によるテレビジョン受像装置における番組情報検索方法は、キーワード情報非付加の第１の番組情報およびキーワード情報付加の第２の番組情報を受信して一時記憶するステップと、視聴者選択番組の番組情報の文字列を固有名詞辞書に含まれる固有名詞の文字列と照合し、一部または全部が一致する文字列を提示するステップと、前記視聴者選択番組の番組情報の文字列を前記一時記憶した第２の番組情報のキーワード情報の文字列と照合し、一部または全部が一致する文字列を提示するステップと、前記双方の提示文字列中の視聴者選択文字列に基づいて前記一時記憶した第１の番組情報の文字列を検索し、該当する番組の一覧を表示するステップとを含むことを特徴とする。ここで、固有名詞の文字列での照合および一致文字列の提示のステップと、第２の番組情報のキーワード情報の文字列での照合および一致文字列の提示のステップとの順序関係は、いずれが先でもよく、また同時でもよい。
【００３１】
これによれば、固有名詞辞書に含まれる固有名詞で照合して得た文字列とメガポートＥＰＧのようなキーワード情報付加の第２の番組情報に含まれるキーワード情報で照合して得た文字列との双方の文字列を候補として、キーワード情報非付加の第１の番組情報を検索する。すなわち、タイムリーでかつフレキシブルなキーワードによる番組検索に加え、固有名詞辞書による基本的なキーワードでも検索できる手段を保有している。したがって、番組検索するキーワードの幅をさらに増やすことができ、視聴者に幅の広い検索機能を提供することができる。
【００３２】
第４ないし第６の解決手段は、アクセス位置を識別するキーワードＩＤを利用するものである。第１の番組情報は、元はキーワード情報が付加されていないものであるが、照合・検索の高速化のために、テレビジョン受像機側でキーワード情報を付加して利用するのである。
【００３３】
第４の解決手段として、本発明によるテレビジョン受像装置における番組情報検索方法は、キーワード情報非付加の第１の番組情報を受信して一時記憶するステップと、前記第１の番組情報に固有名詞辞書へのアクセス位置を識別するためのキーワードＩＤを埋め込むステップと、前記視聴者選択番組の番組情報のキーワードＩＤに基づいて前記固有名詞辞書にアクセスし、前記固有名詞辞書に含まれる固有名詞の文字列から一部または全部が一致する文字列を提示するステップと、前記提示文字列中の視聴者選択文字列に対応する前記キーワードＩＤに基づいて前記一時記憶した第１の番組情報を検索し、該当する番組の一覧を表示するステップとを含むことを特徴とする。
【００３４】
上記第１の解決手段の場合には、固有名詞辞書との照合およびキーワード情報非付加の第１の番組情報に対する検索を文字列ベースで行い、しかも番組情報の全てを対象とすることから充分な高速化は望めない。これに対して、キーワードＩＤを用いることにより、固有名詞辞書および第１の番組情報に対する照合・検索がキーワードＩＤベースで可能となり、視聴者による検索開始の要求を受けてからの検索時間を大幅に短縮することができる。
【００３５】
第５の解決手段として、本発明によるテレビジョン受像装置における番組情報検索方法は、キーワード情報非付加の第１の番組情報およびキーワード情報付加の第２の番組情報を受信して一時記憶するステップと、前記第１の番組情報に前記第２の番組情報へのアクセス位置を識別するためのキーワードＩＤを埋め込むステップと、前記視聴者選択番組の番組情報のキーワードＩＤに基づいて前記一時記憶した第２の番組情報にアクセスし、前記第２の番組情報に含まれるキーワード情報の文字列から一部または全部が一致する文字列を提示するステップと、前記提示文字列中の視聴者選択文字列に対応する前記キーワードＩＤに基づいて前記一時記憶した第１の番組情報を検索し、該当する番組の一覧を表示するステップとを含むことを特徴とする。
【００３６】
上記第２の解決手段の場合には、キーワード情報付加の第２の番組情報との照合およびキーワード情報非付加の第１の番組情報に対する検索を文字列ベースで行い、しかも番組情報の全てを対象とすることから充分な高速化は望めない。これに対して、キーワードＩＤを用いることにより、第１および第２の番組情報に対する照合・検索がキーワードＩＤベースで可能となり、視聴者による検索開始の要求を受けてからの検索時間を大幅に短縮することができる。
【００３７】
第６の解決手段として、本発明によるテレビジョン受像装置における番組情報検索方法は、キーワード情報非付加の第１の番組情報およびキーワード情報付加の第２の番組情報を受信して一時記憶するステップと、前記第１の番組情報に固有名詞辞書へのアクセス位置および前記第２の番組情報へのアクセス位置を識別するためのキーワードＩＤを埋め込むステップと、前記視聴者選択番組の番組情報のキーワードＩＤに基づいて前記固有名詞辞書または前記一時記憶した第２の番組情報にアクセスし、前記固有名詞辞書または前記第２の番組情報に含まれるキーワード情報の文字列から一部または全部が一致する文字列を提示するステップと、前記提示文字列中の視聴者選択文字列に対応する前記キーワードＩＤに基づいて前記一時記憶した第１の番組情報を検索し、該当する番組の一覧を表示するステップとを含むことを特徴とする。
【００３８】
これによれば、固有名詞辞書、第１および第２の番組情報に対する照合・検索がキーワードＩＤベースで可能となり、視聴者による検索開始の要求を受けてからの検索時間を大幅に短縮することができる。
【００３９】
第７の解決手段は、上記の固有名詞辞書とキーワード情報付加の第２の番組情報とを併用する第３または第６の解決手段において、さらに好ましい態様として次の学習機能をもたせたものがある。すなわち、さらに、前記第２の番組情報のキーワード情報との照合で提示する文字列の集合のうち、前記固有名詞辞書に含まれる固有名詞との照合で提示する文字列の集合に含まれない文字列を前記固有名詞辞書に追加するステップを有していることである。
【００４０】
これによれば、視聴者の視聴傾向に沿った検索用キーワードを逐次固有名詞辞書に追加蓄積することになり、タイムリーで知的で幅の広い検索を実現できる。
【００４１】
上記のテレビジョン受像装置における番組情報検索方法における発明は、テレビジョン受像機において、以下のように展開することが可能である。
【００４２】
第１の解決手段として、本発明によるテレビジョン受像装置は、地上デジタルチューナーで受信した信号から地上デジタル番組情報を取得する地上デジタル番組情報データ取得部と、取得した地上デジタル番組情報を蓄積する地上デジタル番組情報データ蓄積用記憶装置と、操作イベントを判断して指示を出すイベント管理部と、前記イベント管理部からの指示により所要の制御を行うとともに、番組検索状態のオンスクリーン表示の制御を行うテレビ制御部と、番組検索を行う際のキーワード抽出に使用する固有名詞辞書用記憶装置とを備え、さらに、前記テレビ制御部が、前記イベント管理部からの視聴者選択番組の番組情報の文字列を前記固有名詞辞書用記憶装置の固有名詞辞書に含まれる固有名詞の文字列と照合し、一部または全部が一致する文字列をオンスクリーン表示させ、前記イベント管理部からの視聴者選択文字列に基づいて前記地上デジタル番組情報データ蓄積用記憶装置の番組情報の文字列を検索し、該当する番組の一覧をオンスクリーン表示するように構成されている。
【００４３】
この構成によって、番組検索するときに、視聴者選択番組の番組情報（番組タイトル・番組詳細情報）に含まれる固有名詞辞書用記憶装置の固有名詞の文字列をキーワードとして抽出して視聴者に選択させて検索を行い、該当する番組を提示する作用を有する。すなわち、固有名詞をベースとする文字列に絞り込まれた検索用キーワードは、受信し一時記憶したキーワード情報非付加の地上デジタル番組情報を検索するためのキーワードとして、より適正で、検索上より確度の高いものとなる。すなわち、単語として認められない文字列や、単語として認められてもキーワードとは到底言えない文字列については、これを抽出の対象から除外することができる。したがって、視聴者に不快感を与えることがなく、従来の使い勝手を保ちつつ、信憑性の高い番組検索を実現できる。
【００４４】
第２の解決手段として、本発明によるテレビジョン受像装置は、地上デジタルチューナーで受信した信号から番組情報を取得する地上デジタル番組情報データ取得部と、取得した地上デジタル番組情報を蓄積する地上デジタル番組情報データ蓄積用記憶装置と、操作イベントを判断して指示を出すイベント管理部と、前記イベント管理部からの指示により所要の制御を行うとともに、番組検索状態のオンスクリーン表示の制御を行うテレビ制御部と、ＢＳデジタルチューナーで受信したメガポートＥＰＧ番組情報を取得するメガポートＥＰＧ番組情報データ取得部と、取得したメガポートＥＰＧ番組情報を蓄積するメガポートＥＰＧ番組情報データ蓄積用記憶装置とを備え、さらに、前記テレビ制御部が、前記イベント管理部からの視聴者選択番組の番組情報の文字列を前記メガポートＥＰＧ番組情報データ蓄積用記憶装置のメガポートＥＰＧ番組情報に含まれる文字列と照合し、一部または全部が一致する文字列をオンスクリーン表示させ、前記イベント管理部からの視聴者選択文字列に基づいて前記地上デジタル番組情報データ蓄積用記憶装置の番組情報の文字列を検索し、該当する番組の一覧をオンスクリーン表示するように構成されている。
【００４５】
固有名詞辞書用記憶装置の代わりに地上デジタル番組情報データ蓄積用記憶装置を利用する。この構成によって、番組検索するときに、視聴者選択番組の番組情報（番組タイトル・番組詳細情報）に含まれるメガポートＥＰＧ番組情報のキーワード情報の文字列をキーワードとして抽出して視聴者に選択させて検索を行い、該当する番組を提示する作用を有する。随時受信するキーワード情報が付加されたメガポートＥＰＧ番組情報に含まれるキーワード情報を利用して、一時記憶したキーワード情報非付加の地上デジタル番組情報を検索するものであり、キーワードの候補が随時更新されるため、タイムリーでかつフレキシブルなキーワードによる番組検索を実現できる。
【００４６】
第３の解決手段として、本発明によるテレビジョン受像装置は、地上デジタルチューナーで受信した信号から地上デジタル番組情報を取得する地上デジタル番組情報データ取得部と、取得した地上デジタル番組情報を蓄積する地上デジタル番組情報データ蓄積用記憶装置と、操作イベントを判断して指示を出すイベント管理部と、前記イベント管理部からの指示により所要の制御を行うとともに、番組検索状態のオンスクリーン表示の制御を行うテレビ制御部と、番組検索を行う際のキーワード抽出に使用する固有名詞辞書用記憶装置と、ＢＳデジタルチューナーで受信したメガポートＥＰＧ番組情報を取得するメガポートＥＰＧ番組情報データ取得部と、取得したメガポートＥＰＧ番組情報を蓄積するメガポートＥＰＧ番組情報データ蓄積用記憶装置とを備え、さらに、前記テレビ制御部が、前記イベント管理部からの視聴者選択番組の番組情報の文字列を前記固有名詞辞書用記憶装置の固有名詞辞書に含まれる固有名詞の文字列および前記メガポートＥＰＧ番組情報データ蓄積用記憶装置のメガポートＥＰＧ番組情報に含まれる文字列と照合し、一部または全部が一致する文字列をオンスクリーン表示させ、前記イベント管理部からの視聴者選択文字列に基づいて前記地上デジタル番組情報データ蓄積用記憶装置の番組情報の文字列を検索し、該当する番組の一覧をオンスクリーン表示するように構成されている。
【００４７】
この構成によって、番組検索するときに、視聴者選択番組の番組情報（番組タイトル・番組詳細情報）に含まれる固有名詞辞書用記憶装置の文字列とメガポートＥＰＧ番組情報のキーワード情報の文字列の双方をキーワードとして抽出し、これら双方のキーワードを候補として視聴者に選択させて検索を行い、該当する番組を提示する作用を有する。すなわち、タイムリーでかつフレキシブルなキーワードによる番組検索に加え、固有名詞辞書による基本的なキーワードでも検索できる。したがって、番組検索するキーワードの幅をさらに増やすことができ、視聴者に幅の広い検索機能を提供することができる。
【００４８】
第４の解決手段として、本発明によるテレビジョン受像装置は、上記の第１の解決手段のテレビジョン受像機において、前記テレビ制御部が、前記固有名詞辞書用記憶装置における前記固有名詞辞書に含まれる固有名詞の文字列に基づいて、前記地上デジタル番組情報データ蓄積用記憶装置における前記地上デジタル番組情報に前記固有名詞辞書へのアクセス位置を識別するためのキーワードＩＤを埋め込む手段と、前記視聴者選択番組の番組情報のキーワードＩＤに基づいて前記固有名詞辞書用記憶装置における固有名詞辞書にアクセスし、前記固有名詞辞書に含まれる固有名詞の文字列から一部または全部が一致する文字列をオンスクリーン表示する手段と、前記提示文字列中の視聴者選択文字列に対応する前記キーワードＩＤに基づいて前記地上デジタル番組情報データ蓄積用記憶装置に記憶した地上デジタル番組情報を検索し、該当する番組の一覧を表示する手段とを備えている。
【００４９】
地上デジタルの番組情報を取得した際に、固有名詞辞書の文字列を参照するためのキーワードＩＤを地上デジタルの各番組の番組情報に追加して地上デジタル番組情報データ蓄積用記憶装置に記憶し、番組を検索する際にキーワードＩＤの比較を行うことにより検索する作用を有する。キーワードＩＤを用いることにより、固有名詞辞書に対する照合・検索がキーワードＩＤベースで可能となり、視聴者による検索開始の要求を受けてからの検索時間を大幅に短縮することができる。扱う番組情報が増加しても、検索処理時間の増加を軽減し、視聴者にストレスを感じさせないですむ。
【００５０】
第５の解決手段として、本発明によるテレビジョン受像装置は、上記の第２の解決手段のテレビジョン受像機において、前記テレビ制御部が、前記メガポートＥＰＧ番組情報データ蓄積用記憶装置における前記メガポートＥＰＧ番組情報のキーワード情報に基づいて、前記地上デジタル番組情報データ蓄積用記憶装置における前記地上デジタル番組情報に、前記メガポートＥＰＧ番組情報へのアクセス位置を識別するためのキーワードＩＤを埋め込む手段と、前記視聴者選択番組の番組情報のキーワードＩＤに基づいて前記メガポートＥＰＧ番組情報にアクセスし、前記メガポートＥＰＧ番組情報に含まれるキーワード情報の文字列から一部または全部が一致する文字列をオンスクリーン表示する手段と、前記提示文字列中の視聴者選択文字列に対応する前記キーワードＩＤに基づいて前記地上デジタル番組情報データ蓄積用記憶装置に記憶した地上デジタル番組情報を検索し、該当する番組の一覧を表示する手段とを備えている。
【００５１】
地上デジタルの番組情報を取得した際に、メガポートＥＰＧのキーワード情報を参照するためのキーワードＩＤを地上デジタルの各番組の番組情報に追加して地上デジタル番組情報データ蓄積用記憶装置に記憶し、番組を検索する際にキーワードＩＤの比較を行うことにより検索する作用を有する。キーワードＩＤを用いることにより、メガポートＥＰＧ番組情報に対する照合・検索がキーワードＩＤベースで可能となり、視聴者による検索開始の要求を受けてからの検索時間を大幅に短縮することができる。
【００５２】
第６の解決手段として、本発明によるテレビジョン受像装置は、上記の第３の解決手段のテレビジョン受像機において、前記テレビ制御部が、前記固有名詞辞書用記憶装置における前記固有名詞辞書に含まれる固有名詞の文字列および前記メガポートＥＰＧ番組情報データ蓄積用記憶装置における前記メガポートＥＰＧ番組情報のキーワード情報に基づいて、前記地上デジタル番組情報データ蓄積用記憶装置における前記地上デジタル番組情報に、前記固有名詞辞書へのアクセス位置および前記メガポートＥＰＧ番組情報へのアクセス位置を識別するためのキーワードＩＤを埋め込む手段と、前記視聴者選択番組の番組情報のキーワードＩＤに基づいて前記固有名詞辞書または前記メガポートＥＰＧ番組情報にアクセスし、前記固有名詞辞書に含まれる固有名詞の文字列または前記メガポートＥＰＧ番組情報に含まれるキーワード情報の文字列から一部または全部が一致する文字列をオンスクリーン表示する手段と、前記提示文字列中の視聴者選択文字列に対応する前記キーワードＩＤに基づいて前記地上デジタル番組情報データ蓄積用記憶装置に記憶した地上デジタル番組情報を検索し、該当する番組の一覧を表示する手段とを備えている。
【００５３】
地上デジタルの番組情報を取得した際に、固有名詞辞書およびメガポートＥＰＧのキーワード情報を参照するためのキーワードＩＤを地上デジタルの各番組の番組情報に追加して地上デジタル番組情報データ蓄積用記憶装置に記憶し、番組を検索する際にキーワードＩＤの比較を行うことにより検索する作用を有する。キーワードＩＤを用いることにより、固有名詞辞書およびメガポートＥＰＧ番組情報に対する照合・検索がキーワードＩＤベースで可能となり、視聴者による検索開始の要求を受けてからの検索時間を大幅に短縮することができる。
【００５４】
第７の解決手段は、上記の固有名詞辞書とメガポートＥＰＧ番組情報とを併用する第３または第６の解決手段において、さらに好ましい態様として次の学習機能をもたせたものがある。すなわち、前記テレビ制御部が、さらに、前記メガポートＥＰＧ番組情報との照合で提示する文字列の集合のうち、前記固有名詞辞書に含まれる固有名詞との照合で提示する文字列の集合に含まれない文字列を前記固有名詞辞書用記憶装置における前記固有名詞辞書に追加する手段を備えている。
【００５５】
これによれば、視聴者の視聴傾向に沿った検索用キーワードを逐次固有名詞辞書に追加蓄積することになり、タイムリーで知的で幅の広い検索を実現できる。
【００５６】
以上詳述したが、本発明は、これから放送が開始されようとしている地上デジタル放送対応のテレビにおいて真価が発揮されると予想される。すなわち、地上デジタル放送では、デジタル化することにより地上アナログ放送に比べ３倍程度のサービスを提供することができる。その一方で、視聴者は見たい番組を探すのに苦労することは明らかであり、本発明のような簡便な番組検索機能は視聴者の操作性に対する不満解消について大きな効果がある。
【００５７】
【発明の実施の形態】
以下、本発明にかかわるテレビジョン受像装置およびその番組情報検索方法の実施の形態を図面に基づいて説明する。
【００５８】
（実施の形態１）
図１のように構成された地上デジタル放送対応テレビにおいて、図２のテレビ制御部の処理の流れを参照しながら説明する。
【００５９】
図１は本発明の実施の形態１における番組情報検索方法が搭載された地上デジタル放送対応テレビの構成を示すブロック図である。
【００６０】
図１において、２０は地上デジタル放送の映像／音声信号を受信する地上デジタルチューナー、２１は地上デジタル番組情報データを取得する地上デジタル番組情報データ取得部、２２は取得した番組情報データを蓄積する地上デジタル番組情報データ蓄積用記憶装置、１８は地上デジタルチューナー２０と外部装置からの映像／音声を切り換える映像／音声入力切換部、１９は音声を出力するスピーカー、１６は映像信号を処理する映像信号処理部、１３はテレビジョン受像装置の制御を行うテレビ制御部、１１はリモコンからの送信コードを解読するためのリモコンコード解読部、１２はリモコンコード解読部１１から入力されたイベントを判断してテレビ制御部１３に指示を出すイベント管理部、１４はテレビ制御部１３からの指示でオンスクリーン表示を行うオンスクリーン表示処理部、１５は時刻管理を行う時刻管理部、１７は映像やオンスクリーンを表示する表示装置、２３はオンスクリーン表示処理部１４から出力する信号と映像の合成を行う映像合成処理部、２４は番組検索を行う際のキーワード抽出に使用する固有名詞辞書用記憶装置である。実施の形態１の構成は、従来の構成（図１８）に固有名詞辞書用記憶装置２４を追加したものに相当している。
【００６１】
次に、上記のように構成された実施の形態１の地上デジタル放送対応テレビにおける番組情報検索方法の動作を図２に示すフローチャートに従って説明する。図２は従来の方法の図２１におけるＳＴＥＰ５をＳＴＥＰ５１に変更したものであり、その他は同じである。
【００６２】
まずＳＴＥＰ１において、リモコンコード解読部１１でリモコンコードを受信して解読した結果のイベントについて、イベント管理部１２はそのイベントが番組内容提示のイベントかどうかを判断すると同時に番組内容を提示する番組を特定する。番組内容提示のイベントでない場合は処理を終了する。
【００６３】
番組内容提示のイベントの場合は、ＳＴＥＰ２に進み、イベント管理部１２が特定した番組の番組情報を地上デジタル番組情報データ蓄積用記憶装置２２から読み出す。
【００６４】
次いでＳＴＥＰ３において、地上デジタル番組情報データ蓄積用記憶装置２２から読み出したデータをオンスクリーン表示処理部１４に通知して画面に表示する。
【００６５】
次いでＳＴＥＰ４において、リモコンコード解読部１１を通してイベント管理部１２がキーワード検索のイベントを受けたかを判断する。キーワード検索のイベントでない場合は処理を終了する。
【００６６】
キーワード検索のイベントの場合は、本実施の形態の特徴であるＳＴＥＰ５１に進み、固有名詞辞書用記憶装置２４から固有名詞を読み出して、読み出した固有名詞が視聴者選択番組の番組タイトル、番組内容に含まれるか確認して、含まれる固有名詞をキーワードとして抽出する。
【００６７】
次いでＳＴＥＰ６において、抽出したキーワードを一覧にしてオンスクリーン表示処理部１４に通知し、画面に表示する。
【００６８】
次いでＳＴＥＰ７において、リモコンコード解読部１１を通してイベント管理部１２がキーワード選択のイベントを受けたかを判断する。キーワード選択のイベントでない場合は処理を終了する。
【００６９】
キーワード選択のイベントの場合は、ＳＴＥＰ８に進み、地上デジタル番組情報データ蓄積用記憶装置２２に記憶されている番組情報の番組タイトルおよび番組内容と、選択したキーワードとを比較して、選択したキーワードの文字列を含む番組を検索する。
【００７０】
次いでＳＴＥＰ９において、検索で抽出した番組の一覧をオンスクリーン表示処理部１４に通知して画面に表示する。
【００７１】
図３は実施の形態１の概要を示した図である。キーワード情報を有しない地上デジタル番組情報（第１の番組情報）の番組タイトル・番組内容に含まれる文字列が、固有名詞辞書に含まれる固有名詞の文字列（キーワード１〜Ｍ）によって照合される。一致する文字列を検索用キーワードとして視聴者に提示する。複数提示された検索用キーワード（文字列）のうちの所望のものを視聴者が選択する。地上デジタル番組情報（第１の番組情報）の番組タイトル・番組内容に対して視聴者選択文字列（検索用キーワード）による検索を行い、該当する番組情報を表示する。
【００７２】
図４は検索を実行した場合の画面表示の遷移例である。図４（ａ）は画面表示の状態を示し、視聴者選択番組の番組情報が画面表示され、その画面に“キーワード検索”のボタンが表示されている。この“キーワード検索”のボタンを操作すると、一致した文字列が検索用キーワードの候補として一覧表示される。図４（ｂ）は処理の状態を示し、固有名詞辞書に含まれる固有名詞の文字列と視聴者選択番組の番組情報の番組タイトルおよび番組内容に含まれる文字列が比較されている。
【００７３】
（実施の形態２）
図５のように構成された地上デジタル放送対応テレビにおいて図７のテレビ制御部の処理の流れを参照しながら説明する。
【００７４】
図５は本発明の実施の形態２における番組情報検索方法が搭載された地上デジタル放送対応テレビの構成を示すブロック図である。図５において、実施の形態１の図１におけるのと同じ符号は同一構成要素を指しているので、詳しい説明は省略する。簡単に説明すると、２０は地上デジタルチューナー、２１は地上デジタル番組情報データ取得部、２２は地上デジタル番組情報データ蓄積用記憶装置、１８は映像／音声入力切換部、１９はスピーカー、１６は映像信号処理部、１３はテレビ制御部、１１はリモコンコード解読部、１２はイベント管理部、１４はオンスクリーン表示処理部、１５は時刻管理部、１７は表示装置、２３は映像合成処理部である。新たな構成要素としての２５はＢＳデジタル放送の映像／音声信号を受信するＢＳデジタルチューナー、２６はＢＳデジタル放送のメガポートチャンネルで送出されるＥＰＧデータを取得するメガポートＥＰＧ番組情報データ取得部、２７は取得した番組情報データを蓄積するメガポートＥＰＧ番組情報データ蓄積用記憶装置である。実施の形態２の構成は、従来の構成（図１８）にＢＳデジタルチューナー２５、メガポートＥＰＧ番組情報データ取得部２６およびメガポートＥＰＧ番組情報データ蓄積用記憶装置２７を追加したものに相当している。
【００７５】
また、図６はメガポートＥＰＧ番組情報データの形式を表したものである。従来の図１９の地上デジタル番組情報データの形式にはキーワード情報はないが、図６のメガポートＥＰＧ番組情報データにはキーワード情報がある。
【００７６】
次に、上記のように構成された実施の形態２の地上デジタル放送対応テレビにおける番組情報検索方法の動作を図７に示すフローチャートに従って説明する。図７は、従来の方法の図２１におけるＳＴＥＰ５をＳＴＥＰ５２に変更したものであり、その他は同じである。
【００７７】
まずＳＴＥＰ１において、リモコンコード解読部１１でリモコンコードを受信して解読した結果のイベントについて、イベント管理部１２はそのイベントが番組内容提示のイベントかどうかを判断すると同時に番組内容を提示する番組を特定する。番組内容提示のイベントでない場合は処理を終了する。
【００７８】
番組内容提示のイベントの場合は、ＳＴＥＰ２に進み、イベント管理部１２が特定した番組の番組情報を地上デジタル番組情報データ蓄積用記憶装置２２から読み出す。
【００７９】
次いでＳＴＥＰ３において、地上デジタル番組情報データ蓄積用記憶装置２２から読み出したデータをオンスクリーン表示処理部１４に通知して画面に表示する。
【００８０】
次いでＳＴＥＰ４において、リモコンコード解読部１１を通してイベント管理部１２がキーワード検索のイベントを受けたかを判断する。キーワード検索のイベントでない場合は処理を終了する。
【００８１】
キーワード検索のイベントの場合は、本実施の形態の特徴であるＳＴＥＰ５２に進み、メガポートＥＰＧ番組情報データ蓄積用記憶装置２７からキーワード情報を読み出して、読み出したキーワードが視聴者選択番組の番組タイトル、番組内容に含まれるか確認して、含まれるキーワードを抽出する。
【００８２】
次いでＳＴＥＰ６において、抽出したキーワードを一覧にしてオンスクリーン表示処理部１４に通知し、画面に表示する。
【００８３】
次いでＳＴＥＰ７において、リモコンコード解読部１１を通してイベント管理部１２がキーワード選択のイベントを受けたかを判断する。キーワード選択のイベントでない場合は処理を終了する。
【００８４】
キーワード選択のイベントの場合は、ＳＴＥＰ８に進み、地上デジタル番組情報データ蓄積用記憶装置２２に記憶されている番組情報の番組タイトルおよび番組内容と、選択したキーワードとを比較して、選択したキーワードの文字列を含む番組を検索する。
【００８５】
次いでＳＴＥＰ９において、検索で抽出した番組の一覧をオンスクリーン表示処理部１４に通知して画面に表示する。
【００８６】
図８は実施の形態２の概要を示した図である。キーワード情報を有しない地上デジタル番組情報（第１の番組情報）の番組タイトル・番組内容に含まれる文字列が、検索用キーワードを有するメガポートＥＰＧ番組情報（第２の番組情報）に含まれる文字列（キーワード１〜Ｍ）によって照合される。
【００８７】
図９は検索を実行した場合の画面表示の遷移例である。図９（ａ）は画面表示の状態を示し、視聴者選択番組の番組情報が画面表示され、その画面に“キーワード検索”のボタンが表示されている。この“キーワード検索”のボタンを操作すると、一致した文字列が検索用キーワードの候補として一覧表示される。図９（ｂ）は処理の状態を示し、メガポートＥＰＧ番組情報に含まれるキーワード情報の文字列と視聴者選択番組の番組情報の番組タイトルおよび番組内容に含まれる文字列が比較されている。
【００８８】
（実施の形態３）
図１０のように構成された地上デジタル放送対応テレビにおいて図１１のテレビ制御部の処理の流れを参照しながら説明する。本実施の形態は、図１に示す実施の形態１の構成と図５に示す実施の形態２の構成とを併せたものに相当している。
【００８９】
図１０は本発明の実施の形態３における番組情報検索方法が搭載された地上デジタル放送対応テレビの構成を示すブロック図である。図１０において、実施の形態１の図１におけるのと同じ符号は同一構成要素を指しているので、同一部分に同一符号を付すにとどめ、詳しい説明は省略する。本実施の形態の構成は、従来の構成（図１８）に固有名詞辞書用記憶装置２４、ＢＳデジタルチューナー２５、メガポートＥＰＧ番組情報データ取得部２６、メガポートＥＰＧ番組情報データ蓄積用記憶装置２７を追加したものに相当している。
【００９０】
次に、上記のように構成された実施の形態３の地上デジタル放送対応テレビにおける番組情報検索方法の動作を図１１に示すフローチャートに従って説明する。図１１は、従来の方法の図２１におけるＳＴＥＰ５をＳＴＥＰ５１とＳＴＥＰ５２に、ＳＴＥＰ６をＳＴＥＰ６１に変更したものに相当している。すなわち、図２に示す実施の形態１の処理と図７に示す実施の形態２の処理とを併せた処理に相当し、その他のＳＴＥＰは同じである。
【００９１】
まずＳＴＥＰ１において、リモコンコード解読部１１でリモコンコードを受信して解読した結果のイベントについて、イベント管理部１２はそのイベントが番組内容提示のイベントかどうかを判断すると同時に番組内容を提示する番組を特定する。番組内容提示のイベントでない場合は処理を終了する。
【００９２】
番組内容提示のイベントの場合は、ＳＴＥＰ２に進み、イベント管理部１２が特定した番組の番組情報を地上デジタル番組情報データ蓄積用記憶装置２２から読み出す。
【００９３】
次いでＳＴＥＰ３において、地上デジタル番組情報データ蓄積用記憶装置２２から読み出したデータをオンスクリーン表示処理部１４に通知して画面に表示する。
【００９４】
次いでＳＴＥＰ４において、リモコンコード解読部１１を通してイベント管理部１２がキーワード検索のイベントを受けたかを判断する。キーワード検索のイベントでない場合は処理を終了する。
【００９５】
キーワード検索のイベントの場合は、本実施の形態の特徴であるＳＴＥＰ５１に進み、固有名詞辞書用記憶装置２４から固有名詞を読み出して、読み出した固有名詞が視聴者選択番組の番組タイトル、番組内容に含まれるか確認して、含まれる固有名詞をキーワードとして抽出する。
【００９６】
さらに本実施の形態の特徴であるＳＴＥＰ５２において、メガポートＥＰＧ番組情報データ蓄積用記憶装置２７からキーワード情報を読み出して、読み出したキーワードが視聴者選択番組の番組タイトル、番組内容に含まれるか確認して、含まれるキーワードを抽出する。
【００９７】
さらに本実施の形態の特徴であるＳＴＥＰ６１において、固有名詞辞書用記憶装置２４およびメガポートＥＰＧ番組情報データ蓄積用記憶装置２７から抽出したキーワードを一覧にしてオンスクリーン表示処理部１４に通知し、画面に表示する。
【００９８】
次いでＳＴＥＰ７において、リモコンコード解読部１１を通してイベント管理部１２がキーワード選択のイベントを受けたかを判断する。キーワード選択のイベントでない場合は処理を終了する。
【００９９】
キーワード選択のイベントの場合は、ＳＴＥＰ８に進み、地上デジタル番組情報データ蓄積用記憶装置２２に記憶されている番組情報の番組タイトルおよび番組内容と、選択したキーワードとを比較して、選択したキーワードの文字列を含む番組を検索する。
【０１００】
次いでＳＴＥＰ９において、検索で抽出した番組の一覧をオンスクリーン表示処理部１４に通知して画面に表示する。
【０１０１】
図１２は実施の形態３の概要を示した図である。キーワード情報を有しない地上デジタル番組情報（第１の番組情報）の番組タイトル・番組内容に含まれる文字列が、固有名詞辞書に含まれる固有名詞の文字列（キーワード１〜Ｍ）、および、検索用キーワードを有するメガポートＥＰＧ番組情報（第２の番組情報）に含まれる文字列（キーワード１〜Ｍ）によって照合される。
【０１０２】
（実施の形態４）
本実施の形態での地上デジタル放送対応テレビの構成は実施の形態３の場合の図１０に示す構成と同じであるので、説明を省略する。図１３に基づきテレビ制御部の処理の流れを参照しながら説明する。
【０１０３】
図１３は実施の形態３の場合の図１１のＳＴＥＰ６１の後にＳＴＥＰ６２を追加したものに相当している。
【０１０４】
まずＳＴＥＰ１において、リモコンコード解読部１１でリモコンコードを受信して解読した結果のイベントについて、イベント管理部１２はそのイベントが番組内容提示のイベントかどうかを判断すると同時に番組内容を提示する番組を特定する。番組内容提示のイベントでない場合は処理を終了する。
【０１０５】
番組内容提示のイベントの場合は、ＳＴＥＰ２に進み、イベント管理部１２が特定した番組の番組情報を地上デジタル番組情報データ蓄積用記憶装置２２から読み出す。
【０１０６】
次いでＳＴＥＰ３において、地上デジタル番組情報データ蓄積用記憶装置２２から読み出したデータをオンスクリーン表示処理部１４に通知して画面に表示する。
【０１０７】
次いでＳＴＥＰ４において、リモコンコード解読部１１を通してイベント管理部１２がキーワード検索のイベントを受けたかを判断する。キーワード検索のイベントでない場合は処理を終了する。
【０１０８】
キーワード検索のイベントの場合は、ＳＴＥＰ５１に進み、固有名詞辞書用記憶装置２４から固有名詞を読み出して、読み出した固有名詞が視聴者選択番組の番組タイトル、番組内容に含まれるか確認して、含まれる固有名詞をキーワードとして抽出する。
【０１０９】
そしてＳＴＥＰ５２において、メガポートＥＰＧ番組情報データ蓄積用記憶装置２７からキーワード情報を読み出して、読み出したキーワードが視聴者選択番組の番組タイトル、番組内容に含まれるか確認して、含まれるキーワードを抽出する。
【０１１０】
次いでＳＴＥＰ６１において、固有名詞辞書用記憶装置２４およびメガポートＥＰＧ番組情報データ蓄積用記憶装置２７から抽出したキーワードを一覧にしてオンスクリーン表示処理部１４に通知し、画面に表示する。
【０１１１】
次いで本実施の形態の特徴であるＳＴＥＰ６２において、メガポートＥＰＧ番組情報データ蓄積用記憶装置２７のキーワード情報から抽出したキーワードを固有名詞として固有名詞辞書用記憶装置２４に追加する。
【０１１２】
次いでＳＴＥＰ７において、リモコンコード解読部１１を通してイベント管理部１２がキーワード選択のイベントを受けたかを判断する。キーワード選択のイベントでない場合は処理を終了する。
【０１１３】
キーワード選択のイベントの場合は、ＳＴＥＰ８に進み、地上デジタル番組情報データ蓄積用記憶装置２２に記憶されている番組情報の番組タイトルおよび番組内容と、選択したキーワードとを比較して、選択したキーワードの文字列を含む番組を検索する。
【０１１４】
次いでＳＴＥＰ９において、検索で抽出した番組の一覧をオンスクリーン表示処理部１４に通知して画面に表示する。
【０１１５】
図１４は実施の形態４の概要を示した図である。キーワード情報を有しない地上デジタル番組情報（第１の番組情報）の番組タイトル・番組内容に含まれる文字列が、固有名詞辞書に含まれる固有名詞の文字列（キーワード１〜Ｍ）、および、検索用キーワードを有するメガポートＥＰＧ番組情報（第２の番組情報）に含まれる文字列（キーワード１〜Ｍ）によって照合される。さらに、地上デジタル番組情報（第１の番組情報）の番組タイトル・番組内容に含まれる文字列に対してメガポートＥＰＧ番組情報（第２の番組情報）に含まれる文字列が一致するときは、メガポートＥＰＧ番組情報の文字列を固有名詞辞書に追加する。
【０１１６】
（実施の形態５）
この実施の形態での地上デジタル放送対応テレビの構成も実施の形態３の構成（図１０）と同じであるので説明を省略する。この実施の形態では、地上デジタルの番組情報蓄積処理と、地上波デジタルの番組検索処理に特徴がある。実施の形態１から実施の形態４までの地上デジタルの番組情報蓄積処理については、処理が単純であるので説明は省略してきた。つまり、地上デジタルの番組情報蓄積処理は単純に地上デジタルの番組情報蓄積処理が必要なときに、地上デジタル番組情報データ取得部２１を通して地上デジタル番組情報データ蓄積用記憶装置２２に蓄積すればよいだけである。
【０１１７】
しかしながら、実施の形態５の地上デジタルの番組情報蓄積処理では検索の高速化のためにキーワード情報を地上デジタルの番組情報に埋め込むための処理が必要となる。
【０１１８】
図１５は地上デジタルの番組情報に埋め込むための情報を表している。地上デジタル番組情報を蓄積する形式へキーワード情報として固有名詞辞書用記憶装置およびメガポートＥＰＧ番組情報のキーワード情報のどこをアクセスすればよいかを示すキーワードＩＤと何個のキーワードＩＤがあるかの情報を付加する。これにより、キーワードＩＤによる検索が可能となる。
【０１１９】
図１６は実施の形態５のテレビ制御部における地上デジタルの番組情報蓄積処理の流れを示したものである。ＳＴＥＰに沿って説明していく。
【０１２０】
まずＳＴＥＰ１００において、メガポートＥＰＧ番組情報データ蓄積用記憶装置２７に記憶している次回の番組情報取得時刻を読み出して、時刻管理部１５の時刻と比較してメガポートＥＰＧ番組情報を取得する必要があるか判断する。取得する必要がない場合は、ＳＴＥＰ１０４へ進む。
【０１２１】
取得する必要がある場合は、ＳＴＥＰ１０１に進み、メガポートＥＰＧ番組情報データ取得部２６を通してメガポートＥＰＧ番組情報をメガポートＥＰＧ番組情報データ蓄積用記憶装置２７に蓄積する。
【０１２２】
次にＳＴＥＰ１０２において、メガポートＥＰＧ番組情報データ蓄積用記憶装置２７に蓄積されたキーワード情報が更新されたか確認する。更新されていない場合は、ＳＴＥＰ１０４へ進む。
【０１２３】
更新されている場合は、ＳＴＥＰ１０３に進み、メガポートＥＰＧのキーワード情報に基づき、地上デジタル番組情報に追加しているキーワードＩＤを振り直して必要に応じてキーワードＩＤの数も更新する。
【０１２４】
次にＳＴＥＰ１０４において、地上デジタル番組情報データ蓄積用記憶装置２２に記憶している次回の番組情報取得時刻を読み出して、時刻管理部１５の時刻と比較して地上デジタル番組情報を取得する必要があるか判断する。取得する必要がない場合は終了する。
【０１２５】
取得する必要がある場合は、ＳＴＥＰ１０５に進み、地上デジタル番組情報データ取得部２１を通して地上デジタル番組情報を地上デジタル番組情報データ蓄積用記憶装置２２に蓄積する。
【０１２６】
次にＳＴＥＰ１０６において、メガポートＥＰＧ番組情報データ蓄積用記憶装置２７に記憶されているキーワード情報と固有名詞辞書用記憶装置２４に記憶されている固有名詞を読み出して、各地上デジタルの番組情報の番組タイトルおよび番組内容に含まれているキーワードおよび固有名詞を地上デジタル番組情報にキーワード情報として、キーワードＩＤとキーワードＩＤの数を追加して地上デジタル番組情報データ蓄積用記憶装置２２に記憶する。
【０１２７】
図１７は実施の形態５のテレビ制御部における地上波デジタルの番組検索処理の流れを示した図であり、実施の形態４の場合の図１３のＳＴＥＰ５１、ＳＴＥＰ５２、ＳＴＥＰ６１の代わりにＳＴＥＰ５３を、ＳＴＥＰ８の代わりにＳＴＥＰ８１を入れたものである。ＳＴＥＰに沿って説明していく。
【０１２８】
まずＳＴＥＰ１において、リモコンコード解読部１１でリモコンコードを受信して解読した結果のイベントについて、イベント管理部１２はそのイベントが番組内容提示のイベントかどうかを判断すると同時に番組内容を提示する番組を特定する。番組内容提示のイベントでない場合は処理を終了する。
【０１２９】
番組内容提示のイベントの場合は、ＳＴＥＰ２に進み、イベント管理部１２が特定した番組の番組情報を地上デジタル番組情報データ蓄積用記憶装置２２から読み出す。
【０１３０】
次いでＳＴＥＰ３において、地上デジタル番組情報データ蓄積用記憶装置２２から読み出したデータをオンスクリーン表示処理部１４に通知して画面に表示する。
【０１３１】
次いでＳＴＥＰ４において、リモコンコード解読部１１を通してイベント管理部１２がキーワード検索のイベントを受けたかを判断する。キーワード検索のイベントでない場合は処理を終了する。
【０１３２】
キーワード検索のイベントの場合は、本実施の形態の特徴であるＳＴＥＰ５３に進み、視聴者選択番組のキーワードＩＤを基にキーワードを読み出してキーワード一覧にしてオンスクリーン表示処理部１４に通知し、画面に表示する。
【０１３３】
次いでＳＴＥＰ６２において、メガポートＥＰＧ番組情報データ蓄積用記憶装置２７のキーワード情報から抽出したキーワードを固有名詞として固有名詞辞書用記憶装置２４に追加する。
【０１３４】
次いでＳＴＥＰ７において、リモコンコード解読部１１を通してイベント管理部１２がキーワード選択のイベントを受けたかを判断する。キーワード選択のイベントでない場合は処理を終了する。
【０１３５】
キーワード選択のイベントの場合は、本実施の形態の特徴であるＳＴＥＰ８１に進み、地上デジタル番組情報データ蓄積用記憶装置２２に記憶されている番組情報のキーワードＩＤと選択したキーワードのキーワードＩＤとを比較することで番組を検索する。すなわち、キーワードＩＤベースで検索を行う。
【０１３６】
次いでＳＴＥＰ９において、検索で抽出した番組の一覧をオンスクリーン表示処理部１４に通知して画面に表示する。
【０１３７】
以上の実施の形態では、キーワード情報を送出しないＥＰＧシステムとして地上デジタル放送を、また、キーワード情報を送出するＥＰＧシステムとしてメガポートＥＰＧ（ＢＳデジタルの１チャンネルを使用してデータを送出する）を例にあげて説明したが、本発明はこの組み合わせに限定するものではない。
【０１３８】
【発明の効果】
以上のように本発明によれば、固有名詞辞書をあらかじめ用意しておき、視聴者選択番組の番組情報の中に含まれる固有名詞辞書にある固有名詞をキーワードとして検索するので、単語として認められない文字列や単語として認められてもキーワードとは到底言えない文字列については、これを抽出の対象から除外することができ、視聴者に不快感を与えることなく、従来の使い勝手を保ちつつ、信憑性の高い番組検索を実現できる。
【０１３９】
また、随時受信するメガポートＥＰＧのようなキーワード情報が付加された番組情報に含まれるキーワード情報を利用して検索する場合には、キーワードの候補が随時更新されることになり、タイムリーでかつフレキシブルなキーワードによる番組検索を実現できる。
【０１４０】
また、上記の両技術を併せることにより、タイムリーでかつフレキシブルなキーワードによる番組検索に加え、固有名詞辞書による基本的なキーワードでも検索できる手段を残すことにより、さらに番組検索するキーワードの幅を増やすことができ、視聴者に幅の広い検索機能を提供することができる。
【０１４１】
また、視聴者に提示したキーワードを固有名詞辞書に追加することにより、さらにキーワードの候補を増やすことができ、幅の広い検索機能を提供することができる。
【０１４２】
また、文字列ベースの検索に代えて、番組情報を蓄積するときにキーワードＩＤを追加しておき、検索するときにはキーワードＩＤベースで検索することによって、視聴者の検索開始の要求を受けてからの検索時間を大幅に短縮することができる。
【図面の簡単な説明】
【図１】本発明の実施の形態１における番組情報検索方法が搭載された地上デジタル放送対応テレビの構成を示すブロック図
【図２】本発明の実施の形態１の地上デジタル放送対応テレビにおける番組情報検索方法の動作を示すフローチャート
【図３】本発明の実施の形態１における番組情報検索方法の概要説明図
【図４】本発明の実施の形態１における番組情報検索方法の画面表示遷移および処理状態の説明図
【図５】本発明の実施の形態２における番組情報検索方法が搭載された地上デジタル放送対応テレビの構成を示すブロック図
【図６】本発明の実施の形態２におけるメガポートＥＰＧ番組情報データの形式の説明図
【図７】本発明の実施の形態２の地上デジタル放送対応テレビにおける番組情報検索方法の動作を示すフローチャート
【図８】本発明の実施の形態２における番組情報検索方法の概要説明図
【図９】本発明の実施の形態２における番組情報検索方法の画面表示遷移および処理状態の説明図
【図１０】本発明の実施の形態３における番組情報検索方法が搭載された地上デジタル放送対応テレビの構成を示すブロック図
【図１１】本発明の実施の形態３の地上デジタル放送対応テレビにおける番組情報検索方法の動作を示すフローチャート
【図１２】本発明の実施の形態３における番組情報検索方法の概要説明図
【図１３】本発明の実施の形態４の地上デジタル放送対応テレビにおける番組情報検索方法の動作を示すフローチャート
【図１４】本発明の実施の形態４における番組情報検索方法の概要説明図
【図１５】本発明の実施の形態５における番組情報検索方法の概要説明図
【図１６】本発明の実施の形態５の地上デジタル放送対応テレビにおける番組情報蓄積処理の動作を示すフローチャート
【図１７】本発明の実施の形態５の地上デジタル放送対応テレビにおける番組情報検索方法の動作を示すフローチャート
【図１８】従来技術における番組情報検索方法が搭載された地上デジタル放送対応テレビの構成を示すブロック図
【図１９】地上デジタルの番組情報データの形式の説明図
【図２０】従来技術における番組情報検索方法の概要説明図
【図２１】従来技術の地上デジタル放送対応テレビにおける番組情報検索方法の動作を示すフローチャート
【図２２】従来技術における番組情報検索方法の画面表示遷移の説明図
【符号の説明】
１１  リモコンコード解読部
１２  イベント管理部
１３  テレビ制御部
１４  オンスクリーン表示処理部
１５  時刻管理部
１６  映像信号処理部
１７  表示装置
１８  映像／音声入力切換部
１９  スピーカー
２０  地上デジタルチューナー
２１  地上デジタル番組情報データ取得部
２２  地上デジタル番組情報データ蓄積用記憶装置
２３  映像合成処理部
２４  固有名詞辞書用記憶装置
２５  ＢＳデジタルチューナー
２６  メガポートＥＰＧ番組情報データ取得部
２７  メガポートＥＰＧ番組情報データ蓄積用記憶装置
【図１】
2004312627.tif 000003
【図２】
2004312627.tif 000004
【図３】
2004312627.tif 000005
【図４】
2004312627.tif 000006
【図５】
2004312627.tif 000007
【図６】
2004312627.tif 000008
【図７】
2004312627.tif 000009
【図８】
2004312627.tif 000010
【図９】
2004312627.tif 000011
【図１０】
2004312627.tif 000012
【図１１】
2004312627.tif 000013
【図１２】
2004312627.tif 000014
【図１３】
2004312627.tif 000015
【図１４】
2004312627.tif 000016
【図１５】
2004312627.tif 000017
【図１６】
2004312627.tif 000018
【図１７】
2004312627.tif 000019
【図１８】
2004312627.tif 000020
【図１９】
2004312627.tif 000021
【図２０】
2004312627.tif 000022
【図２１】
2004312627.tif 000023
【図２２】
2004312627.tif 000024